(57)【要約】      （修正有）【課題】安価な構成で刈られた被刈取物の粉砕を可能とした草刈機及びその粉砕刃を提供する。【解決手段】刃回転軸９を中心に回転可能とした回転刃７と、平面視を長手方向に延長された略矩形状として、回転刃７と刃回転軸９を同軸とし、回転刃７と共に回転可能とした、回転刃７で刈り取られた被刈取物を粉砕するための粉砕刃１０と、回転刃７及び粉砕刃１０を回転させる駆動部と、回転刃７及び粉砕刃１０の上面を覆うと共に、下面を開放させたカバー部６と、駆動部を走行させるための複数の車輪とを備える草刈機であって、カバー部６と回転刃７の間に空間が形成されており、粉砕刃１０は、端縁を跳ね上げるように折曲させた折曲刃１１を備える。【選択図】図３
2019162058.tif 000002
【特許請求の範囲】
【請求項１】
刃回転軸を中心に回転可能とした回転刃と、
平面視を長手方向に延長された略矩形状として、前記回転刃と刃回転軸を同軸とし、前記回転刃と共に回転可能とした、該回転刃で刈り取られた被刈取物を粉砕するための粉砕刃と、
前記回転刃及び粉砕刃を回転させる駆動部と、
前記回転刃及び粉砕刃の上面を覆うと共に、下面を開放させたカバー部と、
前記駆動部を走行させるための複数の車輪と
を供える草刈機であって、
前記カバー部と回転刃の間に空間が形成されており、
前記粉砕刃は、端縁を跳ね上げるように折曲させた折曲刃を備えてなる草刈機。
【請求項２】
請求項１に記載の草刈機であって、
前記折曲刃の端縁が、凹状に切り欠かれた切り欠き部を形成してなる草刈機。
【請求項３】
請求項１又は２に記載の草刈機であって、
前記折曲刃の端縁が、前記粉砕刃の平面上から跳ね上げられた角度が、６０°〜８０°である草刈機。
【請求項４】
請求項１〜３のいずれか一項に記載の草刈機であって、
前記カバー部の前方が開放されてなる草刈機。
【請求項５】
請求項１〜４のいずれか一項に記載の草刈機であって、
前記折曲刃の外径が、前記回転刃の外径よりも小さく形成され、
前記折曲刃が、前記回転刃よりも内側に配置されてなる草刈機。
【請求項６】
刃回転軸を中心に回転可能とした回転刃と、
前記回転刃を回転させる駆動部と、
前記回転刃の上面を覆うと共に、下面を開放させたカバー部と、
前記駆動部を走行させるための複数の車輪と
を供える草刈機用の、前記カバー部と回転刃の間に形成された空間内に配置され、前記回転刃と刃回転軸を同軸に、前記回転刃と共に回転させることで、前記回転刃で刈り取られた被刈取物を粉砕可能な草刈機用粉砕刃であって、
平面視を長手方向に延長された略矩形状としており、
端縁を跳ね上げるように折曲させた折曲刃を備えてなる草刈機用粉砕刃。
【発明の詳細な説明】
【技術分野】
【０００１】
本発明は、草刈機及びその粉砕刃に関する。
【背景技術】
【０００２】
草や蔦、木等を刈るための回転刃を備える草刈機が使用されている。草刈機には、使用者が手で本体を持って浮かせた状態で使用するタイプのものが知られている。このタイプの草刈機は、使用者が手で重量を支える必要があり、力の弱い者、例えば女性や高齢者には扱い難い問題があった。そこで、車輪を備えるモップ式と呼ばれる草刈機が提案されている。モップ式の草刈機は、使用者が手で抱えるタイプの草刈機と比べて、車輪を備えていることから、軽い力で推し進めることができ、力の弱い女性や高齢者でも使いやすい利点が得られる。その反面、手で持ち上げて使用するタイプの草刈機であれば、刈った草を払う、すなわち左右にスイングさせるようにして刈った草を左右にどけていく作業が行えるが、モップ式の草刈機の場合は基本的には車輪によって前後にしか進めず、横方向へ移動させることができない。このため、刈り取った草が刈り倒されて地面に載置され、その上を使用者や草刈機が踏み越えていくことになる。このため、草刈機の走行の邪魔になることがあった。
【０００３】
加えて、刈った草が、草刈機の回転軸に巻き付いて、ひどい場合には回転を止めてしまうことがあった。
【０００４】
一方で、刈った草や蔦の巻き込みを防止可能な草刈機も開発されている（例えば特許文献１）。この文献に開示される草刈機を図１３に示す。この図に示すように草刈機８００には、回転軸８１５に丸鋸８２０、上部丸鋸挟持部材８１６及び下部丸鋸挟持部材８１７が下から挟持されている。また丸鋸８２０と上部丸鋸挟持部材８１６との間には、巻付き防止部材８２１が挟持されている。巻付き防止部材８２１には、巻付き防止刃８２３及び立ち刃８２４が、巻付き防止部材８２１の基板部８２２から外向きに張出して形成されており、基板部８２２の外周縁上に交互に配置されている。巻付き防止刃８２３は、基板部８２２の外周縁に形成された平面視台形形状の突片の基端部８２６を斜め上方へ折り曲げると共に、該突片の中間部８２７を斜め下方へ折り曲げることにより形成されている。巻付き防止刃８２３の先端部は、丸鋸の上面８３１と当接するように設けられている。また巻付き防止刃８２３の外周縁（内側板８２８及び外側板８２９の外周縁）には、鋭刃部８３０が研磨加工により形成されており、丸鋸８２０と共に回転することによって草や蔓を切断できるようになっている。これにより、回転軸８１５、回転部材及び取付け部材へ草や蔓が巻込むことを抑制できるとされている。
【０００５】
しかしながら、この草刈機は巻付き防止部材８２１の形状が、図１４の平面図に示すように複雑で、製造コストが高くなるという問題があった。また同文献によれば、図１５や図１６の草刈機も提案されているが、同じく、巻付き防止部材８４１の形状が、端縁を山折りにする必要があって製造に手間がかかる問題があった。
【０００６】
すなわち巻付き防止部材８４１は、基板部８４２、巻付き防止刃８４３を備えている。巻付き防止刃８４３は、基板部８４２の両短手側から斜め上方に折り曲げると共に、この突片の中間部８４５を斜め下方へ折り曲げることにより形成されている。具体的には、巻付き防止刃８４３は、その基板部８４２の短手方向の基端部８４６において斜め上方に折り曲げられた内側板８４７と、この巻付き防止刃８４３の中間部８４５を境に斜め下方へ折り曲げられた外側板８４８からへの字状かつ平面視台形形状に形成されている。巻付き防止刃８４３，８４３の回転方向側の縁側には、それぞれ鋭刃部８４９が研磨加工により形成されている。鋭刃部８４９は、回転軸８１５の回転により、丸鋸８２０と共に回転することによって草や蔓を切断できるようになっている。このように図１５や図１６に示す草刈機も、巻付き防止部材８４１の構成が極めて複雑で、製造コストを押し上げてしまう問題があった。
【先行技術文献】
【特許文献】
【０００７】
【特許文献１】特許３９５０４４３号公報
【発明の概要】
【発明が解決しようとする課題】
【０００８】
本発明はこのような背景に鑑みてなされたものであり、その目的の一は、安価な構成で刈られた被刈取物の粉砕を可能とした草刈機及びその粉砕刃を提供することにある。
【課題を解決するための手段及び発明の効果】
【０００９】
本発明の第１の形態に係る草刈機によれば、刃回転軸を中心に回転可能とした回転刃と、平面視を長手方向に延長された略矩形状として、前記回転刃と刃回転軸を同軸とし、前記回転刃と共に回転可能とした、該回転刃で刈り取られた被刈取物を粉砕するための粉砕刃と、前記回転刃及び粉砕刃を回転させる駆動部と、前記回転刃及び粉砕刃の上面を覆うと共に、下面を開放させたカバー部と、前記駆動部を走行させるための複数の車輪とを供える草刈機であって、前記カバー部と回転刃の間に空間が形成されており、前記粉砕刃は、端縁を跳ね上げるように折曲させた折曲刃を備えることができる。上記構成により、簡単な構成としながら、回転刃で草などの被刈取物を刈り取ると共に、刈り取られた被刈取物をカバー部の内面で幾度も衝突、散乱させながら粉砕刃で粉砕して微細化でき、刈り取った草が刃やギヤケースに絡みついて回転を止める事態を回避できる。また、刈り取った草が束状に残留することもなく、後片付けの手間もなくし、また刈取った後に草刈機を車輪で走行させやすい利点も得られる。
【００１０】
また、本発明の第２の形態に係る草刈機によれば、上記構成に加えて、前記折曲刃の端縁が、凹状に切り欠かれた切り欠き部を形成することができる。上記構成により、折曲刃が使用と共に摩耗していく状態を、切り欠き部でもって確認でき、使用者は粉砕刃の交換時期を切り欠き部の深さでもって目視により確認できる利点が得られる。
【００１１】
さらに、本発明の第３の形態に係る草刈機によれば、上記何れかの構成に加えて、前記折曲刃の端縁が、前記粉砕刃の平面上から跳ね上げられた角度を、６０°〜８０°とすることができる。上記構成により、刈られた被刈取物の粉砕を効率よく行える利点が得られる。
【００１２】
さらにまた、本発明の第４の形態に係る草刈機によれば、上記何れかの構成に加えて、前記カバー部の前方を開放させることができる。上記構成により、カバー部で被粉砕物の飛散を抑制しつつも、刈取対象の被刈取物を回転刃に案内させることを妨げない。
【００１３】
さらにまた、本発明の第５の形態に係る草刈機によれば、上記何れかの構成に加えて、前記折曲刃の外径が、前記回転刃の外径よりも小さく形成され、前記折曲刃を、前記回転刃よりも内側に配置することができる。これにより、被刈取物以外の石やコンクリートといった固い障害物に触れた場合に、折曲刃よりも先に回転刃を障害物に接触させることで、回転刃の破損のみで済ませて折曲刃の破損を防止できる。
【００１４】
さらにまた、本発明の第６の形態に係る草刈機用粉砕刃によれば、刃回転軸を中心に回転可能とした回転刃と、前記回転刃を回転させる駆動部と、前記回転刃の上面を覆うと共に、下面を開放させたカバー部と、前記駆動部を走行させるための複数の車輪とを供える草刈機用の、前記カバー部と回転刃の間に形成された空間内に配置され、前記回転刃と刃回転軸を同軸に、前記回転刃と共に回転させることで、前記回転刃で刈り取られた被刈取物を粉砕可能な草刈機用粉砕刃であって、平面視を長手方向に延長された略矩形状としており、端縁を跳ね上げるように折曲させた折曲刃を備えることができる。上記構成により、簡単な構成としながら、回転刃で草などの被刈取物を刈り取ると共に、刈り取られた被刈取物をカバー部の内面で幾度も衝突、散乱させながら粉砕刃で粉砕して微細化でき、刈り取った草が刃やギヤケースに絡みついて回転を止める事態を回避できる。また、刈り取った草が束状に残留することもなく、後片付けの手間もなくし、また刈り取った後に草刈機を車輪で走行させやすい利点も得られる。
【図面の簡単な説明】
【００１５】
【図１】実施例１に係る草刈機を示す斜視図である。
【図２】図１の草刈機からカバー部を外した状態を示す要部拡大平面図である。
【図３】図１の草刈機の回転刃の近傍を示す要部拡大部分断面図である。
【図４】図４Ａは回転刃の他の例、図４Ｂはさらに他の回転刃を、それぞれ示す平面図である。
【図５】図３の粉砕刃の正面図である。
【図６】図５の粉砕刃の平面図である。
【図７】図６の粉砕刃のＶＩＩ−ＶＩＩ線における断面図である。
【図８】図５の粉砕刃の底面図である。
【図９】図５の粉砕刃の右側面図である。
【図１０】折曲刃の平面図である。
【図１１】図１１Ａは実施例２に係る草刈機の粉砕刃の底面図、図１１Ｂは平面図、図１１Ｃは正面図、図１１Ｄは右側面図である。
【図１２】図１２Ａは実施例３に係る草刈機の粉砕刃の底面図、図１２Ｂは平面図、図１２Ｃは正面図、図１２Ｄは右側面図である。
【図１３】従来の巻込み防止部材を備えた草刈機を示す正面図である。
【図１４】図１３の巻込み防止部材を示す平面図である。
【図１５】従来の他の巻込み防止部材を備えた草刈機を示す正面図である。
【図１６】図１５の巻込み防止部材を示す平面図である。
【発明を実施するための形態】
【００１６】
以下、本発明の実施の形態を図面に基づいて説明する。ただし、以下に示す実施の形態は、本発明の技術思想を具体化するための例示であって、本発明は以下のものに特定されない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施例１）
【００１７】
本発明の実施例１に係る草刈機を、図１〜図１０に示す。これらの図において、図１は実施例１に係る草刈機１００を示す斜視図、図２は図１の草刈機１００からカバー部６を外した状態を示す要部拡大平面図、図３は図１の草刈機１００の回転刃７の近傍を示す要部拡大部分断面図、図５は図３の粉砕刃１０の正面図、図６は図５の粉砕刃１０の平面図、図７は図６の粉砕刃１０のＶＩＩ−ＶＩＩ線における断面図、図８は図５の粉砕刃１０の底面図、図９は図５の粉砕刃１０の右側面図、図１０は折曲刃１１の平面図を、それぞれ示している。これらの図に示す草刈機１００は、草木などを刈り取るための、モップ式と呼ばれる草刈機である。草刈機１００は、図１に示すように、ハンドル部１と、駆動部２と、本体部３と、車輪４と、軸体５と、カバー部６と、回転刃７と、粉砕刃１０を備える。この草刈機１００は、使用者がハンドル部１を持って押し引きすることで、車輪４を回転させて前後に移動させることができる。そして図２で示す回転刃７を回転させて、草や蔦、灌木などを刈り取る。
【００１８】
ハンドル部１は、本体部３に固定されて上方に延長されている。このハンドル部１には、好ましくはステンレスやアルミニウム、鉄などの金属製のパイプが用いられる。またハンドル部１の先端には、使用者が握って草刈機１００を操作するための握り部を設けている。またハンドル部１には、駆動部２をＯＮ／ＯＦＦさせるスイッチを設けている。
【００１９】
駆動部２は、回転刃７や粉砕刃１０を回転させるための部材である。駆動部２には電動式のモータや内燃式のエンジン等が利用できる。また駆動部２の種別に応じて、バッテリなどの電源部や燃料タンクが備えられる。
【００２０】
本体部３は、駆動部２やハンドル部１等を固定するための部材である。図１の例では、本体部３を棒材を組み合わせた枠体で構成している。この枠体も、アルミニウム等の金属製のパイプなどを折曲して構成できる。また枠体の上面には駆動部２を載置して固定している。また枠体の側面には、車輪４を回転自在に軸支している。なお、本体部３は必ずしも枠体で構成する必要はなく、例えば箱状の本体部として、内部に駆動部等を収納するようにしてもよい。あるいは駆動部２のケース自体を本体部として利用することもできる。
【００２１】
車輪４は、本体部３の両側の側面にそれぞれ、回転自在に軸支されている。この一対の車輪４は共通の車輪回転軸８に固定されており、ハンドル部１を押し引きして前後に本体部３を移動させることができる。
【００２２】
軸体５は、駆動部２から前方に突出されており、先端に回転刃７を設けている。軸体５は内部を空洞のパイプ状として、駆動部２の駆動回転軸を延長して回転刃７の刃回転軸９と連結している。また必要に応じて、刃回転軸９と駆動部２との間に減速ギヤを内蔵するギヤケース１５を設け、減速ギアを介在させて、駆動部２の回転数を回転刃７として適切な回転数となるように調整している。ギヤケース１５は、まがりばかさ歯車等を用いて回転軸の角度を変えて、減速する。また歯車の材質はアルミダイカスト等で構成できる。またギヤケース１５内にはグリスを入れて、歯車を潤滑する。
（カバー部６）
【００２３】
カバー部６は、回転刃７と粉砕刃１０の上面を覆うための部材である。平面視が円板状の回転刃７の周囲を覆うように、カバー部６は回転刃７の直径よりも一回り大きい外径としている。またカバー部６は、図３に示すように、このカバー部６の内面と回転刃７の上部との間に空間ＳＰが形成されるように、回転刃７と離間して固定されている。
【００２４】
さらにカバー部６は底面を開放しており、回転刃７の上方からこれを覆うように配置する。さらにこの状態で、カバー部６の側面の内、草刈機１００の前方の位置を開放している。これにより、草刈機１００を前進させると、刈取対象の草木を回転刃７に案内させつつも、刈り取りができ後述する粉砕刃１０により粉砕された粉砕物が周囲に飛散することを、カバー部６でもって抑制できる。カバー部６は、軽量で十分な強度を有する材質、例えばポリプロピレン等の樹脂製とする。
（回転刃７）
【００２５】
回転刃７は、刃回転軸９を中心に回転可能としている。この回転刃７は、図２に示すように平面視を円板状としており、その円周にエッジを形成したチップソーとしている。このような回転刃７を構成する材質は、高炭素鋼等の金属製とすることが好ましい。
【００２６】
ただ本発明は回転刃７をこの形状に限定せず、種々の回転刃が使用できる。例えば図４Ａに示すように矩形状の四隅にイチョウの葉状に末広がりの刃を固定した回転刃７Ｂや、図４Ｂに示すように可撓性のある紐状を周囲に複数固定した回転刃７Ｃなどを利用できる。このような回転刃７Ｃには、ナイロン等の樹脂製の振り出し刃が用いられ、ナイロンカッター刃などと呼ばれる。
（粉砕刃１０）
【００２７】
粉砕刃１０は、回転刃７で刈り取られた被刈取物を粉砕するための部材である。図２に示す粉砕刃１０は、平面視を長手方向に延長された略矩形状としている。また回転刃７と刃回転軸９を同軸として、回転刃７と共に回転するように固定している。図３の例では、回転刃７の上面に接して粉砕刃１０が固定されている。
（折曲刃１１）
【００２８】
さらに粉砕刃１０は、図５に示すようにその端縁を跳ね上げるように折曲させて、折曲刃１１を形成している。これにより、回転刃７で草などの被刈取物を刈り取ると共に、刈り取られた被刈取物をカバー部６の内面で幾度も衝突、散乱させながら粉砕刃１０で粉砕して微細化できる。この結果、刈り取った草が刃回転軸９に絡みついて回転を止める事態を回避できる。また、刈られた草が束状に残留することもないので、草を束ねて捨てるといった後片付けの手間もなくなる。
【００２９】
さらに、刈取った後に草刈機１００を車輪で走行させやすい利点も得られる。特に従来の車輪を備える草刈機は、手で持って浮かせて使用する草刈機と比べ、軽い力で押し進めることができる反面、前後にしか移動できないため、刈った草を払う動作ができず、このため刈った草が車輪の走行時に邪魔になることがあった。これに対して、刈った草を粉砕することで、草の束が残ることを避け、走行させやすい環境とすることが可能となる。
【００３０】
折曲刃１１は、端縁を鋭利な刃とすることもできるが、エッジを鋭利にする必要は必ずしもなく、刈り取られた草が回転する粉砕刃１０に叩き付けられるようにして破断する。
【００３１】
折曲刃１１は、粉砕刃１０の端縁を折曲して、粉砕刃１０の刃本体１２と一体に形成される。粉砕刃１０を構成する材質も、十分な強度と耐久性を有する材質、例えば合金工具鋼等の金属製とする。また粉砕刃１０は、回転刃７と同様、好ましくは着脱式として、摩耗した粉砕刃１０を取り外して研磨したり、新しい粉砕刃１０に交換することができる。図６〜図８に示すように、粉砕刃１０の中央には、円形の開口窓１３が開口されており、この開口窓１３に刃回転軸９を通して回転刃７と共に刃回転軸９に固定される。
【００３２】
また折曲刃１１を折曲させる角度は、図７に示すように粉砕刃１０の平面上から跳ね上げられた跳ね上げ角度αを４５°以上とすることが好ましい。これによって、回転刃７で刈られた草などを上方に跳ね上げてカバー部６の内部で跳ね返らせ、粉砕する効果を高めることができる。この跳ね上げ角度αは、６０°〜８０°とすることが好ましく、特に約７０°が好ましい。本発明者らの行った試験によれば、個の角度とすることで最も粉砕効果を高められることが確認された。
【００３３】
折曲刃１１の端縁には、図９等に示すように、凹状に切り欠かれた切り欠き部１４を形成している。この切り欠き部１４によって、折曲刃１１が使用と共に摩耗していく状態を確認できる。すなわち使用者は、切り欠き部１４の深さでもって、粉砕刃１０の交換時期を目視により確認できる。
【００３４】
折曲刃１１の平面図を、図１０に示す。切り欠き部１４は、好ましくは曲面状に形成する。このように切り欠き部１４を曲面状とすることで、切り欠き部１４からクラックが走ることを抑制できる。また切り欠き部１４の深さｄは、好ましくは２ｍｍ〜４ｍｍとする。さらに切り欠き部１４の幅は、好ましくは４ｍｍ〜８ｍｍとする。なお切り欠き部１４はこの形状に限らず、例えばＵ字状に形成してもよい。
【００３５】
折曲刃１１の側面は、平行姿勢よりも若干先細りとなるように傾斜させている。このようにすることで、高速回転時に刈られた草などの粉砕の効果が高められる。ただ、傾斜を大きくし過ぎると、折曲刃１１への負荷が大きくなって折曲刃１１が摩耗し易くなり、切れ味も低下する傾向にある。折曲刃１１の側面の、垂直方向からの傾斜角度βは、例えば５〜１０°、好ましくは９°程度とする。この角度に設定することで、粉砕刃へ草が絡みにくくなり、切れ味の経年劣化や摩耗を抑えて破砕効果を維持できる。
【００３６】
また折曲刃１１の外径は、回転刃７の外径よりも小さく形成することが好ましい。また、折曲刃１１を回転刃７の内側に配置することが望ましい。このようにすることで、被刈取物である草以外の石やコンクリート等の障害物が存在した場合、回転刃７が折曲刃１１より先に障害物に接触することで回転刃７の破損のみで済むため、折曲刃１１の破損を防止できる。
（実施例２）
【００３７】
以上の例では、折曲刃１１の形状を、平行姿勢よりも若干先細りとなるように傾斜させた構成を説明した。ただ本発明は、折曲刃の形状をこれに限定するものでなく、他の形状とすることもできる。例えば、折曲刃の側面が、ほぼ平行となるように構成することもできる。このような例を実施例２として、図１１Ａ〜図１１Ｄに示す。これらの図において図１１Ａは実施例２に係る草刈機の粉砕刃１１０の底面図、図１１Ｂは平面図、図１１Ｃは正面図、図１１Ｄは右側面図を、それぞれ示している。これらの図に示すように、折曲刃１１１の幅をほぼ一定としても、刈られた草などの粉砕効果を発揮できる。また短冊形状としたことで、切断加工が容易で低コストで製造できる。
（実施例３）
【００３８】
さらに折曲刃の形状を、端縁に向かって末広がりとなる形状に形成してもよい。このような例を実施例３として、図１２Ａ〜図１２Ｄに示す。これらの図において図１２Ａは実施例２に係る草刈機の粉砕刃２１０の底面図、図１２Ｂは平面図、図１２Ｃは正面図、図１２Ｄは右側面図を、それぞれ示している。これらの図に示すように、折曲刃２１１の幅を先太りするように大きく形成することで、耐久性を増して長期に渡って安定的に粉砕効果を発揮できる利点が得られる。さらに粉砕刃２１０の耐久性を増すことができる。
【００３９】
また以上の実施例２では、粉砕刃の刃本体の形状を矩形状とし、実施例３では刃本体を端縁に向かって徐々に幅広となる形状としたが、刃本体の形状もこれらに限られず、例えば実施例１と同じく、端縁に向かった幅狭となるように形成してもよい。
【００４０】
このように実施例に係る草刈機によれば、刈られた草をさらに粉砕することができる。しかも従来の草刈機のような、粉砕刃の形状を複雑にすることなく、両端を跳ね上げるように折曲したのみの簡素な形状で足りる。加えて、刈られた草の飛散防止用のカバー部６を利用して、粉砕された草の微細な破片が周囲に飛散することを抑制できる。加えて、カバー部６の内面で、回転刃７で刈り取られた草を粉砕刃１０に衝突させると共に、飛散した草をカバー部６に衝突させて跳ね返えさせて、再度粉砕刃１０に衝突させる。このようにカバー部６と切断刃及び粉砕刃１０の間の空間ＳＰ内で、刈り取られた草を繰り返し衝突させて徐々に小さくなるように破断し、最終的に微細化された状態でカバー部６の外側に排出される。このように、飛散防止用のカバー部６でもって、刈られた草等の粉砕をさらに促進する効果が得られ、既存のカバー部６を粉砕の品質向上に併用できる。加えてカバー部６は樹脂等の安価な部材で構成される上、刈り取られた草の飛散防止用に設けられているため、コストアップも抑制される。このように実施例に係る草刈機によれば、安価に草刈機に粉砕効果を加えることができる利点が得られる。
【００４１】
また微粉砕された草は、回転刃７やギヤケース１５に巻き付くことがなく、従来発生していた、刈り取られた草がギヤケースに絡みついて回転を止めてしまう事態を回避できる。さらに、刈られた草を粉々に粉砕することで、後の処理も簡単となる。すなわち従来のように、刈られた草が束状となり残らない為、後に集めて廃棄する手間もなくなる。
【産業上の利用可能性】
【００４２】
本発明の草刈機及びその粉砕刃によれば、モップ式草刈機のアタッチメント刃として好適に利用できる。特に、切れ味のよい草刈機が実現できる。
【符号の説明】
【００４３】
１００…草刈機
１…ハンドル部
２…駆動部
３…本体部
４…車輪
５…軸体
６…カバー部
７、７Ｂ、７Ｃ…回転刃
８…車輪回転軸
９…刃回転軸
１０、１１０、２１０…粉砕刃
１１、１１１、２１１…折曲刃
１２…刃本体
１３…開口窓
１４…切り欠き部
１５…ギヤケース
８００…草刈機
８１５…回転軸
８１６…上部丸鋸挟持部材
８１７…下部丸鋸挟持部材
８２０…丸鋸
８２１…巻付き防止部材
８２２…基板部
８２３…巻付き防止刃
８２４…立ち刃
８２６…基端部
８２７…中間部
８２８…内側板
８２９…外側板
８３０…鋭刃部
８３１…丸鋸の上面
８４１…巻付き防止部材
８４２…基板部
８４３…巻付き防止刃
８４５…中間部
８４６…基端部
８４７…内側板
８４８…外側板
８４９…鋭刃部
ＳＰ…空間
【図１】
2019162058.tif 000003
【図２】
2019162058.tif 000004
【図３】
2019162058.tif 000005
【図４】
2019162058.tif 000006
【図５】
2019162058.tif 000007
【図６】
2019162058.tif 000008
【図７】
2019162058.tif 000009
【図８】
2019162058.tif 000010
【図９】
2019162058.tif 000011
【図１０】
2019162058.tif 000012
【図１１】
2019162058.tif 000013
【図１２】
2019162058.tif 000014
【図１３】
2019162058.tif 000015
【図１４】
2019162058.tif 000016
【図１５】
2019162058.tif 000017
【図１６】
2019162058.tif 000018